(57)【特許請求の範囲】
【請求項１】
室外機及び室内機を備えて一つの冷媒循環系統を構成する空気調和装置が複数系統設置され、前記室外機及び前記室内機がネットワークを介して接続された空気調和システムにおいて、
複数の前記室外機が、各室外機を特定するための室外機アドレスと、冷媒循環系統に対応する系統アドレスとを備えると共に、
複数の前記室内機が、各室内機を特定するための室内機アドレスと、冷媒循環系統に対応する系統アドレスとを備え、
複数の前記室外機のうちいずれか一つの室外機が代表室外機とされて、当該代表室外機が、前記ネットワークを介し、前記系統アドレスおよび前記室内機アドレスを用いて前記室内機との間の通信を行い、前記室外機アドレスを用いて前記室外機間で通信を行うことで、各室内機から送信された通信データに基づいて、全系統の前記室外機および前記室内機の能力を制御し、
全系統の前記室外機は、前記代表室外機として機能している室外機が前記代表室外機として機能できなくなった場合に、新たな前記代表室外機として選択可能となるように、前記室内機からの前記通信データに基づいて、全系統の前記室外機および前記室内機の能力を制御する機能を持ち、複数の前記室内機から前記代表室外機に送信される通信データを共有すべく、前記通信データを受信し、
前記代表室外機として機能している室外機が前記代表室外機として機能できなくなった場合に、前記室外機アドレスおよび前記系統アドレスに基づいて、他の室外機の内いずれか一つの室外機を前記新たな代表室外機として選択する、
ことを特徴とする空気調和システム。
【発明の詳細な説明】
【０００１】
【発明の属する技術分野】
本発明は、空気調和システムおよび室外機に係り、特に室外機及び室内機を備えて一つの冷媒循環系統を構成する空気調和装置が複数系統設置され、室外機及び室内機がネットワークを介して互いに接続された空気調和システムおよび室外機に関する。
【０００２】
【従来の技術】
室外機及び室内機を備えて一つの冷媒循環系統を構成する空気調和装置が複数系統設置された空気調和システムにあっては、室外機及び室内機がネットワークを介して互いに接続されたものがある。このような空気調和システムでは、各室外機が、当該室外機の属する冷媒循環系統において室内機をネットワークを用いて制御している。
【０００３】
上述のような空気調和システムを建物に施工する場合には、施工を容易とするため、当該空気調和システムのネットワークを単一の伝送路により構成していた。
【０００４】
また、実際の通信の管理は、各冷媒系統毎に設けられたコマンドコントロールユニット（ＣＣＵ）により行っていた。
【０００５】
【発明が解決しようとする課題】
従って、各室外機において、対応する冷媒循環系統の室内機に同時に通信を行おうとすると、通信データが衝突して破壊されるコリジョン（collision）が発生する可能性があった。
【０００６】
特に大規模な空気調和システムを構築する場合には、コリジョンの発生確率が高くなり、通信が円滑に行えなくなってしまう可能性があった。
【０００７】
また、上記従来の空気調和システムにおいては、各冷媒系統毎にコマンドコントロールユニットを設ける必要があり、設置の手間および設置コストが増大するという不具合があった。
【０００８】
そこで、本発明の目的は、通信を円滑に行えるとともに、各室外機間の連携を図り、コマンドコントロールユニットを設ける必要がない空気調和システムおよび室外機を提供することにある。
【０００９】
【課題を解決するための手段】
上記課題を解決するため、室外機及び室内機を備えて一つの冷媒循環系統を構成する空気調和装置が複数系統設置され、前記室外機及び前記室内機がネットワークを介して接続された空気調和システムにおいて、複数の前記室外機が、各室外機を特定するための室外機アドレスと、冷媒循環系統に対応する系統アドレスとを備えると共に、複数の前記室内機が、各室内機を特定するための室内機アドレスと、冷媒循環系統に対応する系統アドレスとを備え、複数の前記室外機のうちいずれか一つの室外機が代表室外機とされて、当該代表室外機が、前記ネットワークを介し、前記系統アドレスおよび前記室内機アドレスを用いて前記室内機との間の通信を行い、前記室外機アドレスを用いて前記室外機間で通信を行うことで、各室内機から送信された通信データに基づいて、全系統の前記室外機および前記室内機の能力を制御し、全系統の前記室外機は、前記代表室外機として機能している室外機が前記代表室外機として機能できなくなった場合に、新たな前記代表室外機として選択可能となるように、前記室内機からの前記通信データに基づいて、全系統の前記室外機および前記室内機の能力を制御する機能を持ち、複数の前記室内機から前記代表室外機に送信される通信データを共有すべく、前記通信データを受信し、前記代表室外機として機能している室外機が前記代表室外機として機能できなくなった場合に、前記室外機アドレスおよび前記系統アドレスに基づいて、他の室外機の内いずれか一つの室外機を前記新たな代表室外機として選択する、ことを特徴としている。
【００１０】
上記構成によれば、複数系統に設置された複数の前記室外機のうちいずれか一つの室外機が代表室外機とされて、当該代表室外機が、前記ネットワークを介し、前記系統アドレスおよび前記室内機アドレスを用いて前記室内機との間の通信を行い、前記室外機アドレスを用いて前記室外機間で通信を行うことで、全系統の前記室外機および前記室内機を制御する。
【００１１】
これと並行して、全系統の前記室外機は、代表室外機として機能している室外機が前記代表室外機として機能できなくなった場合に、新たな前記代表室外機として選択可能となるように複数の前記室内機から前記代表室外機に送信される通信データを共有すべく、前記通信データを受信し、代表室外機として機能している室外機が代表室外機として機能できなくなった場合に、室外機アドレスおよび系統アドレスに基づいて、他の室外機の内いずれか一つの室外機を新たな代表室外機として選択する
【００１９】
また、室内機を含んで冷媒循環系統を構成する空気調和装置が複数系統設置され、前記空気調和装置間がネットワークを介して接続された空気調和システムを構成する室外機において、当該室外機を特定するための室外機アドレスと、冷媒循環系統に対応する系統アドレスとを備えると共に、当該室外機が代表室外機として選択された場合には、前記ネットワークを介し、前記系統アドレスおよび前記室内機アドレスを用いて前記室内機との間の通信を行い、前記室外機アドレスを用いて前記室外機間で通信を行うことで、全系統の前記室外機および前記室内機を制御し、前記代表室外機として選択されなかった場合には、前記代表室外機として機能している室外機が前記代表室外機として機能できなくなった場合に、新たな前記代表室外機として選択可能となるように複数の前記室内機から前記代表室外機に送信される通信データを共有すべく、前記通信データを受信する、ことを特徴としている。
【００２０】
上記構成によれば、室外機は、代表室外機として選択された場合には、ネットワークを介し、系統アドレスおよび室内機アドレスを用いて室内機との間の通信を行い、室外機アドレスを用いて室外機間で通信を行うことで、全系統の室外機および室内機を制御する。
一方、室外機は、代表室外機として選択されなかった場合には、代表室外機として機能している室外機が代表室外機として機能できなくなった場合に、新たな代表室外機として選択可能となるように複数の前記室内機から前記代表室外機に送信される通信データを共有すべく、前記通信データを受信する、
【００２６】
【発明の実施の形態】
次に図面を参照して本発明の好適な実施の形態について説明する。
【００２７】
図１は、実施形態の空気調和システムの系統図である。
【００２８】
空気調和システム１は、大別すると、第１の冷媒系統の空気調和装置１０と、第２の冷媒系統の空気調和装置２０と、を備えている。
【００２９】
空気調和装置１０は、大別すると、第１室外機１１、第２室外機１２、第３室外機１３、第１室内機１４および第２室内機１５を備えている。ここで、第１室内機１４にはリモートコントローラ１６が設けられている。
【００３０】
空気調和装置２０は、大別すると、第４室外機２１、第５室外機２２、第３室内機２３および第４室内機２４を備えている。
【００３１】
この場合において、第１室外機１１、第２室外機１２、第３室外機１３、第４室外機２１、第５室外機２２、第１室内機１４、第２室内機１５、第３室内機２３および第４室内機２４は、単一のデータ通信ライン（伝送路）１７により相互に接続され、
空気調和システム１内でネットワークが構築されている。
【００３２】
また、第１室外機１１、第２室外機１２、第３室外機１３、第１室内機１４および第２室内機１５は、冷媒配管１８-1（ガス管および液管）により互いに接続されている。
【００３３】
さらに第４室外機２１、第５室外機２２、第３室内機２３および第４室内機は、冷媒配管１８-2（ガス管および液管）により互いに接続されている。
【００３４】
なお、空気調和システム１には、必要に応じてパーソナルコンピュータなどで構成される検査装置３０が接続される。
【００３５】
ここで、実施形態の動作説明に先立ち、各室外機、各室内機あるいはリモートコントローラを通信時に特定するためのアドレスの割当について説明する。
【００３６】
図２は空気調和システム１におけるアドレス割当の一例の説明図である。
【００３７】
この場合において、各アドレスは、８ビットで表すものとし、この８ビットを上位４ビット、下位４ビットに分けて表記するものとする。また、アドレスは、冷媒系統を表す系統アドレスと、各装置（室外機、室内機、リモコン、検査装置など）を特定するための装置アドレスと、により構成される。
【００３８】
以下の説明においては、説明の簡略化のため、各系統毎に、室外機最大設置数＝１５台、室内機その他の装置の各装置毎の最大設置数＝１６台であるものとする。
【００３９】
具体的には、第１の冷媒系統を表す系統アドレス＝「００」とし、第２の冷媒系統を表す系統アドレス＝「０１」とする。また、室外機の装置アドレスとしては、「０１」〜「０Ｆ」が割当可能であり、室内機の装置アドレスとしては、「１０〜１Ｆ」が割当可能であり、リモコンの装置アドレスとしては、「４０」〜「４Ｆ」が割当可能であり、検査装置の装置アドレスとしては「７０」〜「７Ｆ」が割当可能であるものとする。
【００４０】
以上のような条件の下で、アドレス割当を行ったものが、図２に示すものであり、図２中、［ＸＸ−ＹＹ］という表記は、「ＸＸ」が系統アドレスを表し、「ＹＹ」が装置アドレスを表す。
【００４１】
すなわち、各装置の割当アドレスは以下の通りとなる。
【００４２】
第１室外機１１：  系統アドレス＝「００」、装置アドレス＝「０１」
第２室外機１２：  系統アドレス＝「００」、装置アドレス＝「０２」
第３室外機１３：  系統アドレス＝「００」、装置アドレス＝「０３」
第１室内機１４：  系統アドレス＝「００」、装置アドレス＝「１０」
第２室内機１５：  系統アドレス＝「００」、装置アドレス＝「１１」
リモコン１６  ：  系統アドレス＝「００」、装置アドレス＝「４０」
第４室外機２１：  系統アドレス＝「０１」、装置アドレス＝「０１」
第５室外機２２：  系統アドレス＝「０１」、装置アドレス＝「０２」
第３室内機２３：  系統アドレス＝「０１」、装置アドレス＝「１０」
第４室内機２４：  系統アドレス＝「０１」、装置アドレス＝「１１」
検査装置３０  ：  系統アドレス＝「００」、装置アドレス＝「７０」
次に通信データのデータフォーマットについて説明する。
【００４３】
図３は通信データのデータフォーマットの一例である。なお、実際にはヘッダなどが追加されるが、説明の簡略化のため省略している。
【００４４】
通信データ４０は、大別すると、送信元アドレスデータ４１、経由先アドレスデータ４４、送信先アドレスデータ４７、送信データ５０およびエラーチェックデータ５１を備えている。
【００４５】
送信元アドレスデータ４１は、当該通信データ４０の送信元の装置を特定するためのアドレスデータであり、送信元系統アドレスデータ４２および送信元装置アドレスデータ４３を含む。
【００４６】
経由先アドレスデータ４４は、当該通信データ４０の送信時の経由先の装置を特定するためのアドレスデータであり、経由先系統アドレスデータ４５および経由先装置アドレスデータ４６を含む。
【００４７】
送信先アドレスデータ４７は、当該通信データ４０の送信先の装置を特定するためのアドレスデータであり、送信先系統アドレスデータ４８および送信先装置アドレスデータ４９を含む。
【００４８】
送信データ５０は、送信元から送信先に送信したいデータであり、各種通信制御用のデータ、送信先装置に対する制御内容を表すコマンドデータ、当該通信データ４０のデータ量を表すサイズデータなど各種のデータを含む。
【００４９】
エラーチェックデータ５１は、通信の信頼性の確保などのために必要な場合に付加されるデータであり、例えば、送信先装置においてフレームエラーチェックを行うためのフレームチェックコードなどが含まれる。
【００５０】
次に実施形態の動作について説明する。以下の説明においては、初期状態において、第１室外機１１が代表室外機であるものとして説明を行う。
【００５１】
まず、通常運転時の動作を説明する。この通常運転時においては、原則的に代表室外機が各室内機との間の通信を管理するものとする。
【００５２】
図４は、第１室内機１４に設けられたリモートコントローラ１６が代表室外機である第１室外機１１と運転、停止などの指示のための通信を行う場合の通信データの説明図である。
【００５３】
リモートコントローラ１６は、ユーザの操作に対応する操作内容に基づいて通信データ４０Ａを生成する。
【００５４】
具体的には、リモートコントローラ１６は、送信元アドレスデータ４１として、送信元である当該リモートコントローラ１６に対応する送信元系統アドレスデータ４２＝「００」、送信元装置アドレスデータ４３＝「４０」を設定する。
【００５５】
次にリモートコントローラ１６は、経由先アドレスデータ４４として、経由先である第１室内機に対応する経由先系統アドレスデータ４５＝「００」、経由先装置アドレスデータ４６＝「１０」を設定する。
【００５６】
さらにリモートコントローラ１６は、送信先アドレスデータ４７として、送信先である代表室外機に対応する送信先系統アドレスデータ４８＝「００」、送信先装置アドレスデータ４９＝「０１」を設定する。このとき、リモートコントローラ１６としては、実際の代表室外機がいずれの室外機（この場合、第１室外機１１）であるのかを認識する必要はなく、ただ単に代表室外機を特定するための送信アドレスデータ４７を設定するだけである。
【００５７】
そして、リモートコントローラ１６は、ユーザの操作内容に応じた送信データ５０を設定し、必要に応じて当該通信データに対応するエラーチェックデータ５１を設定する。
【００５８】
通信データ４０Ａの設定が終了すると、リモートコントローラ１６は、データ通信ライン１７を介して第１室内機１４に当該通信データ４０Ａを送信する。
【００５９】
通信データ４０Ａを受信した第１室内機１４は、送信先アドレスデータ４７を参照して、代表室外機に当該通信データ４０Ａをデータ通信ライン１７を介して転送する。
【００６０】
これらの結果、全室外機１１〜１３、２１、２２は、第１室内機１４からの通信データ４０Ａを受信することとなるが、送信先アドレスデータ４７を参照することにより、代表室外機として機能している第１室外機１１を除く他の室外機１２、１３、２１、２２は、自己に対して送信された通信データではないとして制御は行わず、必要に応じてその内容を記憶するにとどめる。
【００６１】
一方、第１室外機１１は、受信した通信データ４０Ａにエラーチェックデータ５１が含まれている場合には、当該エラーチェックデータに基づいて通信データ４０Ａのエラーチェックを行うとともに送信データ５０を参照しリモートコントローラ１６におけるユーザの操作内容に対応して、第１室内機１４、第２室内機１５あるいは第３室内機２３のうち、制御すべき一つまたは複数の室内機および制御すべき室外機の制御をデータ通信ライン１７を介して行う。
【００６２】
同様にして第１室内機１４、第２室内機１５、第３室内機２３あるいは第４室内機２４から通信データが代表室外機に対して送信された場合には、第１室外機１１は、当該通信データに対応する制御を行うこととなる。
【００６３】
さらに代表室外機として機能している第１室外機１１は、系統アドレスおよび装置アドレスを用いて各室内機１４、１５、２３、２４と定期通信や状態変化報告通信を行う。これらの通信については、他の室外機１２、１３、２１、２２も通信データを受信し、その内容を記憶し、制御内容を共有している。これは、例えば、代表室外機として機能している第１室外機１１が故障、点検などにより動作不能状態になった場合に、他の室外機１２、１３、２１、２２のうち、いずれか一つの室外機が代表室外機として直ちに機能することを可能とするためである。この場合において、他の室外機１２、１３、２１、２２は、代表室外機として機能している第１室外機１１との間の通信が所定時間以上行えなくなったことを検出すると新たな代表室外機を選択する。選択の手法としては、例えば、最も系統アドレスの値が小さく、かつ、最も装置アドレスの値が小さな室外機を代表室外機として選択する手法などが考えられる。より具体的には、最も系統アドレスの値が小さく、かつ、最も装置アドレスの値が小さな室外機を代表室外機として選択する場合には、第２室外機１２が新たな代表室外機として選択されることとなる。
【００６４】
さらにまた、代表室外機を含む全ての室外機１１〜１３、２１、２２は、アドレス重複判別部として機能し、空気調和システム１の構築時、空気調和システム１の構成変更時（装置の新規追加時、点検のための一時的な電源遮断後の再電源投入時など）に当該空気調和システム１を構成する全ての装置について、系統アドレスおよび装置アドレスの双方が一致する装置が存在するか否かを判別する。
【００６５】
なお、アドレス重複判別の具体的な手法については、後述する。
さらに代表室外機を含む全ての室外機１１〜１３、２１、２２は、アドレス異常告知部として機能し、重複設定されている旨が検出された場合には、その旨を警報ランプ、警報表示、警報音声などにより施工者などに通知することとなる。
【００６６】
図５は、第２室内機１５の検査用端子に検査装置３０が接続され、第４室外機２１の検査を行うための通信を行う場合の通信データの説明図である。
【００６７】
検査装置３０は、オペレータの操作に対応する操作内容に基づいて通信データ４０Ｂを生成する。
【００６８】
具体的には、検査装置３０は、送信元アドレスデータ４１として、送信元である当該検査装置３０に対応する送信元系統アドレスデータ４２＝「００」、送信元装置アドレスデータ４３＝「７０」を設定する。
【００６９】
次に検査装置３０は、経由先アドレスデータ４４として、自己が接続されている第２室内機１５に対応する経由先系統アドレスデータ４５＝「００」、経由先装置アドレスデータ４６＝「１１」を設定する。
【００７０】
さらに検査装置３０は、送信先アドレスデータ４７として、検査対象である第４室外機２１に対応する送信先系統アドレスデータ４８＝「０１」、送信先装置アドレスデータ４９＝「０１」を設定する。
【００７１】
そして、検査装置３０は、オペレータの検査目的（操作内容）に応じた検査用の送信データ５０を設定し、必要に応じて当該通信データに対応するエラーチェックデータ５１を設定する。
【００７２】
通信データ４０Ｂの設定が終了すると、検査装置３０は、第２室内機１５に当該通信データ４０Ｂを送信する。
【００７３】
通信データ４０Ｂを受信した第２室内機１５は、送信先アドレスデータ４７を参照して、第４室外機２１に当該通信データ４０Ｂを転送する。
【００７４】
これらの結果、全室外機１１〜１３、２１、２２は、第２室内機１５からの通信データ４０Ｂを受信することとなるが、送信先アドレスデータ４７を参照することにより、対応する第４室外機２１を除く他の室外機１１〜１３、２２は、自己に対して送信された通信データではないとして制御は行わず、当該データを廃棄する。
【００７５】
一方、第４室外機２１は、受信した通信データ４０Ｂにエラーチェックデータ５１が含まれている場合には、当該エラーチェックデータに基づいて通信データ４０Ａのエラーチェックを行うとともに送信データ５０を参照し検査装置３０におけるオペレータの検査目的に対応して、報告データを生成し、動作状態などを第２室内機１５を経由して検査装置３０に通知することとなる。
【００７６】
ここで、図６を参照してアドレス重複判別の具体的な手法について説明する。
【００７７】
図６は空気調和システム１Ａにおけるアドレス割当の一例の説明図である。
【００７８】
この場合において、各アドレスの割当方法は、図２で説明した場合と同様であり、空気調和装置１０に相当する第１の冷媒系統を表す系統アドレス＝「００」とし、空気調和装置２０に相当する第２の冷媒系統を表す系統アドレス＝「０１」とし、空気調和装置３０に相当する第３の冷媒系統を表す系統アドレス＝「０２」とする。
【００７９】
この場合において、空気調和装置１０および空気調和装置２０は、室外機および室内機がそれぞれ複数、同一の冷媒系統に接続されている。一方、空気調和装置３０は、一台の室外機に一台の室内機が同一の冷媒系統に接続されている。
そして、実際に、アドレス割当を行ったものが、図６に示すものである。図６中においても、図２と同様に、［ＸＸ−ＹＹ］という表記は、「ＸＸ」が系統アドレスを表し、「ＹＹ」が装置アドレスを表す。
【００８０】
すなわち、各装置の割当アドレスは以下の通りとなる。
空気調和装置１０
第１室外機１１：  系統アドレス＝「００」、装置アドレス＝「０１」
第２室外機１２：  系統アドレス＝「００」、装置アドレス＝「０２」
第３室外機１３：  系統アドレス＝「００」、装置アドレス＝「０３」
第１室内機１４：  系統アドレス＝「００」、装置アドレス＝「１０」
第２室内機１５：  系統アドレス＝「００」、装置アドレス＝「１１」
リモコン１６  ：  系統アドレス＝「００」、装置アドレス＝「４０」
空気調和装置２０
第４室外機２１：  系統アドレス＝「０１」、装置アドレス＝「０１」
第５室外機２２：  系統アドレス＝「０１」、装置アドレス＝「０２」
第３室内機２３：  系統アドレス＝「０１」、装置アドレス＝「１０」
第４室内機２４：  系統アドレス＝「０１」、装置アドレス＝「１１」
空気調和装置３０
第６室外機３１：  系統アドレス＝「０２」、装置アドレス＝「なし」
第５室内機３２：  系統アドレス＝「０２」、装置アドレス＝「１０」
この場合において、室外機および室内機がそれぞれ複数、同一の冷媒系統に接続されている空気調和装置１０および空気調和装置２０においては、まず、同一冷媒系統、即ち、同一系統アドレス内の装置アドレスの重複確認を行う。
【００８１】
具体的には、空気調和装置１０においては、第１室外機１１、第２室外機１２、第３室外機１３、第１室内機１４、第２室内機１５およびリモコン１６のそれぞれに対応する装置アドレス＝「０１」、「０２」、「０３」、「１０」、「１１」、「４０」を比較し、装置アドレス（室外機アドレスあるいは室内機アドレス等）の重複を判別する。この場合には、装置アドレスの重複は無かったものと判別される。
【００８２】
次に空気調和装置２０においては、第４室外機２１、第５室外機２２、第３室内機２３、第４室内機２４のそれぞれに対応する装置アドレス＝「０１」、「０２」、「１０」、「１１」を比較し、装置アドレス（室外機アドレスあるいは室内機アドレス）の重複を判別する。この場合には、装置アドレスの重複は無かったものと判別される。
【００８３】
また空気調和装置３０においては、第６室外機３１、第５室内機３２のそれぞれに対応する装置アドレス＝「１０」、「なし」を比較し、装置アドレス（室外機アドレスあるいは室内機アドレス）の重複を判別するが、この場合にも、装置アドレスの重複は無かったものと判別される。
【００８４】
続いて、空気調和装置１０、空気調和装置２０および空気調和装置３０を構成する、第１室外機１１、第２室外機１２、第３室外機１３、第１室内機１４、第２室内機１５、第４室外機２１、第５室外機２２、第３室内機２３、第４室内機２４、第４室外機２１、第５室外機２２、第３室内機２３、第４室内機２４のそれぞれに対応する系統アドレス＝「００」、「００」、「００」、「００」、「００」、「０１」、「０１」、「０１」、「０１」、「０２」、「０２」の重複を判別することとなる。
【００８５】
この結果、空気調和装置１０を構成する第１室外機１１、第２室外機１２、第３室外機１３、第１室内機１４および第２室内機１５においては、系統アドレス＝「００」が重複していると判別されることとなるが、これらについては、先に行った装置アドレスの重複が無かったと判別されているので、系統アドレスおよび装置アドレスの重複は無かったものと判別することとなる。
【００８６】
同様に、空気調和装置２０を構成する第４室外機２１、第５室外機２２、第３室内機２３および第４室内機２４においては、系統アドレス＝「０１」が重複していると判別されることとなるが、これらについても、先に行った装置アドレスの重複が無かったと判別されているので、系統アドレスおよび装置アドレスの重複は無かったものと判別することとなる。
【００８７】
また、空気調和装置３０を構成する第６室外機３１および第５室内機３２においては、系統アドレス＝「０２」が重複していると判別されることとなるが、これらについても、先に行った装置アドレスの重複が無かったと判別されているので、系統アドレスおよび装置アドレスの重複は無かったものと判別することとなる。
【００８８】
従って、上述の例の場合には、空気調和システム１Ａ全体として系統アドレスおよび装置アドレスの重複は無かったものと判別することとなる。
【００８９】
以上の説明のように、本実施形態によれば、各冷媒系統毎にコントロールコマンドユニットを設ける必要がないので、システム構築コストを低減し、システム構築期間を短縮化することができる。
【００９０】
また、室内機側から見れば、代表室外機を介して、複数の室外機が一つの室外機として機能するのと等価となるので、ネットワークにおけるトラフィックを減少させることが可能となり、ネットワークの負荷を低減させることができる。
【００９１】
さらに、代表室外機に選択された室外機が故障あるいは運転時間の平準化のために代表室外機として機能しなくなった場合でも、他の室外機は直前の代表室外機と同様に各室内機を制御するためのデータを保持しているので、いずれかの室外機が直ちに代表室外機として機能することができ、故障時のバックアップ制御を容易に実現することができる。
【００９２】
以上の説明においては、全ての装置が系統アドレスデータおよび装置アドレスデータを用いて通信を行う場合について説明したが、室外機以外の一部の装置が従来の空気調和システムに用いられていた装置アドレスデータのみしか用いないものである場合には、代表室外機が当該装置の属する冷媒系統の室外機として機能するようにすれば、同様に適用が可能である。例えば、リモコン１６および検査装置３０については、装置アドレスデータのみでも問題なく動作する。
【００９３】
以上の説明においては、共通冷媒管１８がガス管および液管で構成されている空気調和システムについて説明したが、室内機毎に冷房あるいは暖房のいずれかを選択的に行えるいわゆる３ｗａｙシステムのように、共通冷媒管が高温高圧ガス管（暖房用）、低温低圧ガス管（冷房用）、中温中圧液管（暖房／冷房共用）で構成されているものについても同様に適用が可能である。
【００９４】
【発明の効果】
本発明によれば、複数の室外機間の連携を図りつつ、ネットワークを介した通信を円滑に行えるとともに、コマンドコントロールユニットを設ける必要がない。また空気調和システムの冗長性が高くなり、いずれかの装置の故障時にもバックアップ制御を容易に実現できる。
【図面の簡単な説明】
【図１】実施形態の空気調和システムの系統図である。
【図２】空気調和システム１におけるアドレス割当の一例の説明図である。
【図３】通信データのデータフォーマットの一例である。
【図４】第１室内機に設けられたリモートコントローラが代表室外機と通信を行う場合の通信データの説明図である。
【図５】第２室内機に接続された検査装置が第４室外機と通信を行う場合の通信データの説明図である。
【図６】アドレス重複判別のための説明図である。
【符号の説明】
１  空気調和システム
１０  第１の冷媒系統の空気調和装置
１１  第１室外機（代表室外機、アドレス重複判別部、アドレス異常告知部）
１２  第２室外機（アドレス重複判別部、アドレス異常告知部）
１３  第３室外機（アドレス重複判別部、アドレス異常告知部）
１４  第１室内機
１５  第２室内機
１６  リモートコントローラ
２０  第２の冷媒系統の空気調和装置
２１  第４室外機（アドレス重複判別部、アドレス異常告知部）
２２  第５室外機（アドレス重複判別部、アドレス異常告知部）
２３  第３室内機
３０  検査装置
４０、４０Ａ、４０Ｂ  通信データ
４１  送信元アドレスデータ
４２  送信元系統アドレスデータ
４３  送信元装置アドレスデータ
４４  経由先アドレスデータ
４５  経由先系統アドレスデータ
４６  経由先装置アドレスデータ
４７  送信先アドレスデータ
４８  送信先系統アドレスデータ
４９  送信先装置アドレスデータ
５０  送信データ
５１  エラーチェックデータ
【図１】
0004236419.tif 000002
【図２】
0004236419.tif 000003
【図３】
0004236419.tif 000004
【図４】
0004236419.tif 000005
【図５】
0004236419.tif 000006
【図６】
0004236419.tif 000007